(57)【要約】【課題】指でスプールまたはその糸巻き面をサミング操作しながら、その指でクラッチの復帰操作をも同時に行なうことができる魚釣用リールの提供を目的としている。【解決手段】本発明は、リール本体の側板間に回転自在に支持されたスプール５ａと、このスプール５ａを釣糸巻取状態から釣糸放出状態に切換えるクラッチ機構１２とを備えた魚釣用リール１において、釣糸巻取状態から釣糸放出状態に切換えられたクラッチ機構１２を元の釣糸巻取状態に復帰させる復帰部材６０を備え、この復帰部材６０は、スプール５ａの後方の側板３ａ，３ｂ（２ａ，２ｂ）間に配設された指当て部材２１の上部に変位可能に設けられ、指当て部材２１に載置した指で操作できることを特徴とする。【選択図】  図２
2004298096.tif 000002
【特許請求の範囲】
【請求項１】
リール本体の側板間に回転自在に支持されたスプールと、このスプールを釣糸巻取状態から釣糸放出状態に切換えるクラッチ機構とを備えた魚釣用リールにおいて、
釣糸巻取状態から釣糸放出状態に切換えられたクラッチ機構を元の釣糸巻取状態に復帰させる復帰部材を備え、この復帰部材は、スプール後方の側板間に配設された指当て部材の上部に変位可能に設けられ、前記指当て部材に載置した指で操作できることを特徴とする魚釣用リール。
【請求項２】
前記指当て部材は、クラッチ機構を釣糸巻取状態から釣糸放出状態に切換える切換部材であることを特徴とする請求項１に記載の魚釣用リール。
【発明の詳細な説明】
【０００１】
【発明の属する技術分野】
本発明は、リール本体の側板間に回転自在に支持されたスプールを釣糸巻取状態と釣糸放出状態とに切換えるクラッチ機構を備えた魚釣用リールの改良に関する。
【０００２】
【従来の技術】
例えば、ルアーキャスティングを行なう場合には、クラッチ機構をＯＦＦ状態（スプールが自由に回転できる釣糸放出状態）に切換えた状態で、釣竿を一方の手で握持しながら所定のポイントへ仕掛けを放出（キャスト）するとともに、釣竿を一方の手から他方の手に持ち替えた後、先のキャスト操作時に釣竿を握持していた一方の手でハンドルを回転操作することによりクラッチ機構をＯＮ状態（釣糸巻取状態）に復帰操作して、リーリング操作を行なう。
【０００３】
しかしながら、このようにキャスティング操作時に釣竿を一方の手から他方の手に持ち替えてクラッチ復帰操作を行なうと、例えばルアー着水直後にアタリがあってフッキング操作を行なう場合に、アタリに対して迅速に対応できないという不具合がある。
【０００４】
そのため、クラッチ機構をＯＦＦ状態（釣糸放出状態）からＯＮ状態（釣糸巻取状態）へと復帰操作する復帰操作部材を設け、キャスティング操作時に釣竿を握持している手の親指でクラッチのＯＦＦ操作に引き続いて復帰操作部材によるクラッチの復帰操作（ＯＮ操作）をも行なえるようにする技術が従来から知られている（例えば特許文献１および特許文献２参照）。
【０００５】
【特許文献１】
特開平６−３２７３８１号公報
【特許文献２】
特開平７−３９２８５号公報。
【０００６】
【発明が解決しようとする課題】
しかしながら、特許文献１および特許文献２に開示されている技術において、クラッチ機構をＯＦＦ状態からＯＮ状態へと復帰操作する復帰操作部材は、スプール上方の側板間に架設された支柱やフレームの内側部に、前後方向に移動可能に設けられている。そのため、釣竿を握持している手の親指で復帰操作部材を前後方向に移動操作しようとすると、サミング操作しているこの親指をスプールの糸巻き面から離さなければならず、釣糸に錘やルアー等によって張力が作用している場合には、クラッチ復帰操作時においてバックラッシュ現象が発生し易くなるという不具合がある。
【０００７】
本発明は、前記事情に着目してなされたものであり、その目的とするところは、指でスプールまたはその糸巻き面をサミング操作しながら、その指でクラッチの復帰操作をも同時に行なうことができる魚釣用リールを提供することにある。
【０００８】
【課題を解決するための手段】
前記課題を解決するため、本発明は、リール本体の側板間に回転自在に支持されたスプールと、このスプールを釣糸巻取状態から釣糸放出状態に切換えるクラッチ機構とを備えた魚釣用リールにおいて、釣糸巻取状態から釣糸放出状態に切換えられたクラッチ機構を元の釣糸巻取状態に復帰させる復帰部材を備え、この復帰部材は、スプール後方の側板間に配設された指当て部材の上部に変位可能に設けられ、前記指当て部材に載置した指で操作できることを特徴とする。
【０００９】
【発明の実施の形態】
以下、図面を参照しながら本発明の一実施形態について説明する。
【００１０】
図１および図２に示されるように、本実施形態に係る魚釣用リール１は、左右フレーム２ａ，２ｂと、これら左右フレーム２ａ，２ｂに装着される円形状の左右側板３ａ，３ｂとによってリール本体が構成されている。左右フレーム２ａ，２ｂは、複数の支柱を介して一体化されており、下方の支柱には、釣竿のリールシートに装着されるリール脚２ｃが設けられている（図３参照）。
【００１１】
左右フレーム２ａ，２ｂ（左右側板３ａ，３ｂ）間には、スプール軸５が軸受６を介して回転可能に支持されており、このスプール軸５には、釣糸が巻回されるスプール５ａが取り付けられている。
【００１２】
右フレーム２ｂおよび右側板３ｂには軸受８を介してハンドル軸９が回転可能に支持されており、ハンドル軸９の端部にはハンドル９ａが装着されている。この場合、ハンドル９ａを回転操作すると、その操作力は、駆動力伝達機構１０を介してスプール５ａに伝達され、スプール５ａを回転駆動するようになっている。なお、ハンドル軸９は、右側板３ｂとの間に介在された転がり式の一方向クラッチ１１（逆転防止機構）によって、釣糸巻取方向にのみ回転可能となっている。
【００１３】
また、右フレーム２ｂと右側板３ｂとの間には、駆動力伝達機構１０の駆動力の伝達を継脱するクラッチ機構１２と、魚釣時にスプール５ａから釣糸が繰り出された際にスプール５ａにドラグ力を付与する公知のドラグ機構１３とが収容されている。
【００１４】
なお、ハンドル９ａの近傍には、ドラグ機構１３によるドラグ力の調整を行なうためのドラグ調整ノブ１３ａが設けられており、また、スプール５ａの前側には、スプール５ａに対して釣糸を均一に平行巻きするためのレベルワインド機構５０が設けられている。また、スプール５ａの後側（スプール５ａに対してレベルワインド機構５０と反対側に位置する側）の左右フレーム２ａ，２ｂ（左右側板３ａ，３ｂ）間には、スプール５ａに当て付く指（親指）を載置できる指当て部材（サムレスト）２１が設けられている。
【００１５】
駆動力伝達機構１０は、  ハンドル軸９に回転可能に支持された駆動歯車１４と、この駆動歯車１４に噛合するピニオン１５とを備えている。ピニオン１５は、スプール軸５と同軸的に延出し且つ右側板３ｂに軸受を介して回転可能に支持されたピニオン軸５ｂに設けられており、このピニオン軸５ｂに沿って軸方向に移動できる。また、ピニオン１５の外周には円周溝１５ａが形成されており、この円周溝１５ａには、ピニオン１５を軸方向に移動させるクラッチ機構１２の後述する作動部材（ヨーク）２２が係合している。
【００１６】
また、ピニオン１５は、スプール軸５の端部に形成された断面が非円形の係合部と嵌合する嵌合部を端部に有しており、作動部材２２によってスプール５ａ側に移動されると、前記嵌合部がスプール軸５の前記係合部に嵌合状態で係合してハンドル９ａの操作力（駆動歯車１４の回転駆動力）をスプール軸５（スプール５ａ）に伝達する（クラッチＯＮ状態（釣糸巻取状態））とともに、作動部材２２によって右側板３ｂ側に移動されると、前記嵌合部がスプール軸５の前記係合部から外れてハンドル９ａの操作力をスプール軸５（スプール５ａ）に伝達しない（クラッチＯＦＦ状態（釣糸放出状態））。
【００１７】
図３に示されるように、クラッチ機構１２は、スプール軸５を中心に回動可能なクラッチ作動板２０と、クラッチ作動板２０の回動動作に連動してピニオン軸５ｂに沿って移動する作動部材２２とを備えている。この場合、作動部材２２は、ピニオン１５の円周溝１５ａに略１８０°に亘って嵌合するとともに、径方向に延出する一対の腕部２２ａ，２２ｂを有している。
【００１８】
また、クラッチ作動板２０は、係合部材４０を介して、指当て部材２１に連結されている。この場合、係合部材４０は、クラッチ作動板２０からこれと略垂直に延びるとともに、右フレーム２ｂに上下にわたって形成された長孔７９を貫通している。
【００１９】
また、本実施形態において、指当て部材２１は、スプール５ａを釣糸巻取状態（スプール５ａの釣糸巻取方向への回転のみを許容する状態）と釣糸放出状態（スプールを自由に正逆回転させる状態）とに切換えるための切換部材（クラッチレバー）を兼ねており、係合部材４０を介してクラッチ作動板２０と一体に回動して、係合部材４０が貫通する長孔７９に沿って上下に移動できる。したがって、以下では、指当て部材２１を切換部材２１と言うことにする。
【００２０】
クラッチ作動板２０の表面には、作動部材２２と係合可能な一対のカム面２３が形成されている。これらのカム面２３は、クラッチ作動板２０の回動に伴って作動部材２２の各腕部２２ａ，２２ｂの裏面に対して係脱し、作動部材２２をピニオン軸５ｂに沿って移動させる。なお、作動部材２２は、右フレーム２ｂに突設された支持ピン２５によって各腕部２２ａ，２２ｂが保持されており、各支持ピン２５に配設されたバネ部材（図示せず）によりクラッチ作動板２０に向けて常時付勢されている。
【００２１】
また、右フレーム２ｂにはボス２６が突設されるとともに、クラッチ作動板２０にはボス２６が係合する周方向溝２７が形成されている。これらの周方向溝２７およびボス２６は、周方向溝２７の両端にボス２６が突き当たることにより、クラッチ作動板２０の回動範囲を規定する。
【００２２】
右フレーム２ｂとクラッチ作動板２０との間には、付勢手段としてのバネ２８が介挿されている。このバネ２８は、カム面２３が作動部材２２の各腕部２２ａ，２２ｂの裏面から離脱する位置（クラッチＯＮ状態・・・図３の状態）へとクラッチ作動板２０を回動させる（図３において時計周りに回動させる）ように常時付勢する。
【００２３】
また、クラッチ機構１２には、カム面２３が作動部材２２の各腕部２２ａ，２２ｂの裏面に係合するクラッチＯＦＦ状態でハンドル９ａを巻取り操作した際に、自動的にクラッチ作動板２０をクラッチＯＮ状態に復帰させるハンドル自動復帰機構が設けられている。このハンドル自動復帰機構は、クラッチ作動板２０の支持ピン２５に回動可能に支持されたキックプレート３０と、このキックプレート３０と右フレーム２ｂとの間に設けられ且つキックプレート３０を所定の位置で保持するバネ部材３１とを備えて構成されている。
【００２４】
キックプレート３０には、第１当接部３０ａと第２当接部３０ｂとが形成されている。これらの当接部３０ａ，３０ｂはそれぞれ、クラッチ作動板２０に形成された第１当て付け部２０ａおよび第２当て付け部２０ｂと、ハンドル軸９に回り止め固定され且つ外周に爪歯３２ａが形成されたラチェット（ロック体）３２とに係合できるようになっている。
【００２５】
また、図２に示されるように、切換部材２１には、切換部材２１によってクラッチＯＦＦ状態に切換えられたクラッチ機構１２をクラッチＯＮ状態に復帰させる復帰部材６０が変位可能に収容されている。この場合、復帰部材６０は、図４および図５に明確に示されるように、切換部材２１の上下方向に形成される垂直孔部２１ｂ内に収容された本体６０Ｂを有している。この本体６０Ｂは、フレーム２ａ，２ｂ間で延びる切換部材２１の延在方向に沿って垂直孔部２１ｂ内でスライドできるようになっており、切換部材２１の上面から所定量突出する操作部６０Ａを上端に有している。この場合、操作部６０Ａは、垂直孔部２１ｂに連通し且つ切換部材２１の延在方向に沿って延びるガイド溝２１ａ内に位置しており、ガイド溝２１ａに沿って操作部６０Ａを水平方向にスライドさせることにより本体６０Ｂを垂直孔部２１ｂ内でスライドさせることができるようになっている。なお、操作部６０Ａを親指Ｔ（図３参照）の表面によって簡単にスライド操作できるように、操作部６０Ａの表面（上面）にはローレット加工等によって凹凸８０が形成されている。
【００２６】
また、復帰部材６０の本体６０Ｂは、切換部材２１の延在方向に沿って水平に延びる水平延在部６０Ｃを有している。この水平延在部６０Ｃは、垂直孔部２１ｂに連通し且つ切換部材２１の延在方向に沿って延びる水平孔部２１ｃ内に位置しており、本体６０Ｂと切換部材２１との間に介挿されたバネ４５の付勢力によって右フレーム２ｂの長孔７９内に常時突出されている。なお、この突出状態では、操作部６０Ａの一端がガイド溝２１ａの端面８１に突き当てられる。
【００２７】
また、右フレーム２ｂの長孔７９内に突出する水平延在部６０Ｃの突出端部６０ａは、長孔７９内に形成された（本実施形態では、例えば長孔７９に突出するように右フレーム２ｂに形成された）係止部４３に係脱可能に係止する係合部として形成されている。この場合、突出端部６０ａと係止部４３との係合をスムーズに行なえるように、突出端部６０ａおよび係止部４３のそれぞれの対向面には、テーパ面４９，４３ａが形成されている。
【００２８】
次に、切換部材２１および復帰部材６０によるクラッチ機構１２の動きについて説明する。
【００２９】
まず、図３〜図５および図８に示されるクラッチＯＮ状態では、バネ２８の付勢力によりクラッチ作動板２０および係合部材４０を介して切換部材２１が上側に位置されている。また、このクラッチＯＮ状態では、クラッチ作動板２０のカム面２３が作動部材２２の各腕部２２ａ，２２ｂの裏面から離脱して、作動部材２２と係合するピニオン１５がスプール軸５と係合している。したがって、この状態でハンドル９ｂを回転操作すると、その操作力は、駆動歯車１４およびピニオン１５を介してスプール軸５に伝達され、スプール５ａを釣糸巻取方向に回転させることができる。
【００３０】
次に、このクラッチＯＮ状態から、図３に示されるように切換部材２１に親指Ｔを載置した状態で、切換部材２１を押圧操作して下方に移動させると、この動作は、係合部材４０を介してクラッチ作動板２０に伝えられ、このクラッチ作動板２０をバネ２８の付勢力に抗して図３において反時計周りに回動させる。
【００３１】
このようにしてクラッチ作動板２０が回動すると、クラッチ作動板２０のカム面２３は、作動部材２２の各腕部２２ａ，２２ｂの裏面に係合し、各支持ピン２５に配設された前記バネ部材の付勢力に抗して作動部材２２をクラッチ作動板２０から離間させるようにピニオン軸５ｂに沿って移動させる。そして、この移動により、作動部材２２と係合するピニオン１５がスプール軸５から完全に外れる（クラッチＯＦＦ）。
【００３２】
なお、このクラッチＯＦＦ状態（図６および図９の状態）は、切換部材２１の下方への移動に伴って復帰部材６０の突出端部６０ａが右フレーム２ｂの係止部４３に係止することによって保持される。すなわち、切換部材２１が下方へ移動すると、クラッチＯＦＦ状態の直前で、突出端部６０ａのテーパ面４９が係止部４３のテーパ面４３ａに突き当たるが、この状態から更に切換部材２１を下方に移動させると、突出端部６０ａは、係止部４３により、バネ４５の付勢力に抗して水平孔部２１ｃ内へと押し込められる。そして、テーパ面４９，４３ａの案内によって突出端部６０ａが係止部４３を乗り越えると、バネ４５の付勢力により再び突出端部６０ａが長孔７９内に突出して係止部４３に係止し、切換部材２１がこの下側位置で保持される。したがって、切換部材２１と係合部材４０を介して連結するクラッチ作動板２０もそのクラッチＯＦＦ状態が保持される。
【００３３】
ピニオン１５とスプール軸５とが係合していないこのクラッチＯＦＦ状態においては、ハンドル９ｂを回転操作しても、その操作力はスプール軸５に伝達されず、スプール５ａは自由に正逆回転することができる（釣糸を自由に繰り出すことができる）。
【００３４】
また、このクラッチＯＦＦ状態は、復帰部材６０を水平（例えば図６において左方向）にスライドさせることにより、簡単にクラッチＯＮ状態へと切り換えることができる（この場合、復帰部材６０は、スプール５ａに近接して切換部材２１の上部に設けられているため、スプール５ａまたはその糸巻き面をサミング操作しながら、そのサミング操作している指で復帰部材６０の操作をも同時に行なうことができる）。すなわち、図６に示されるクラッチＯＦＦ状態からバネ４５の付勢力に抗して復帰部材６０を水平にスライドさせると、図７に示されるように、突出端部６０ａが水平孔部２１ｃ内にほぼ没し、突出端部６０ａと係止部４３との係合状態が解除される。したがって、この状態で親指Ｔによる切換部材２１の押圧力を解放すると、バネ２８の付勢力により切換部材２１が元の上側位置へと復帰するとともに、切換部材２１と連結するクラッチ作動板２０を介してクラッチ機構１２がクラッチＯＮ状態に復帰する。具体的には、切換部材２１の上方への移動は、係合部材４０を介してクラッチ作動板２０に伝えられ、このクラッチ作動板２０を図３において時計周りに回動させる。このようにクラッチ作動板２０が回動すると、クラッチ作動板２０のカム面２３が作動部材２２の各腕部２２ａ，２２ｂの裏面から離脱し、各支持ピン２５に配設された前記バネ部材の付勢力によって作動部材２２がクラッチ作動板２０側に向けピニオン軸５ｂに沿って移動する。そして、この移動により、作動部材２２と係合するピニオン１５がスプール軸５に完全に係合する（クラッチＯＮ）。このように、本実施形態において、復帰部材６０は、バネ２８の付勢力に抗して切換部材２１をクラッチＯＦＦ状態に保持するとともに、このクラッチＯＦＦ状態を解除する部材として機能する。
【００３５】
無論、本実施形態では、復帰部材６０によらず、ハンドル９ａの巻き取り操作によって、クラッチＯＦＦからクラッチＯＮへの自動復帰を行なっても良い。すなわち、クラッチＯＮ状態（図３の状態）では、第１当て付け部２０ａがキックプレート３０の第１当接部３０ａに当接しており、この状態で切換部材２１を下方に押圧操作すると、キックプレート３０は、図３において反時計周りに回動するクラッチ作動板２０および第１当て付け部２０ａを介して、バネ部材３１の付勢力に抗して支持ピン２５を中心に反時計方向に回動される。この時、キックプレート３０の第２当接部３０ｂは、ロック体３２の爪歯３２ａの回転軌跡内に位置するようになっている。そして、クラッチＯＦＦ状態からハンドル９ａを巻取り操作すると、ハンドル軸９を介してロック体３２が反時計回り方向に回転駆動され、キックプレート３０は、回転する爪歯３２ａ、第２当接部３０ｂ、バネ部材３１の付勢力により、時計方向に回動される。この時、キックプレート３０の第１当接部３０ａは、クラッチ作動板２０の第２当て付け部２０ｂに当接してクラッチ作動板２０を時計周りに回動させ、バネ２８によって、クラッチ作動板２０をクラッチＯＮ状態に自動復帰させる。
【００３６】
以上説明したように、本実施形態の魚釣用リール１は、釣糸巻取状態から釣糸放出状態に切換えられたクラッチ機構１２を元の釣糸巻取状態に復帰させる復帰部材６０を備え、この復帰部材６０は、スプール５ａの後方の側板３ａ，３ｂ（フレーム２ａ，２ｂ）間に配設された指当て部材２１の上部に変位可能に設けられ、指当て部材２１に載置した指で操作できるようになっている。したがって、キャスティング操作後の釣糸にルアー等の張力が作用していても、指当て部材２１に載置した親指Ｔでスプール５ａまたは糸巻き面をサミング操作しながら、その親指Ｔで復帰部材６０によるクラッチの復帰操作をも同時に行なうことができるため、バックラッシュ現象を確実に防止できる。
【００３７】
また、  本実施形態の本実施形態の魚釣用リール１において、指当て部材２１は、クラッチ機構を釣糸巻取状態から釣糸放出状態に切換える切換部材２１を兼ねている。すなわち、本実施形態では、クラッチ機構１２を釣糸巻取状態から釣糸放出状態に切換える切換部材２１に復帰部材６０が設けられている。そのため、クラッチのＯＮからＯＦＦへの切換操作、スプール５ａへのサミング操作、クラッチＯＮへの復帰操作といった一連の連続した操作を、無理なく、確実かつ容易に行なうことができる。
【００３８】
なお、本発明は、前述した実施形態に限定されず、その要旨を逸脱しない範囲で種々変形して実施できることは言うまでもない。例えば、前述した実施形態では、指当て部材２１が切換部材２１を兼ねているが、指当て部材２１が切換部材を兼ねず、クラッチ機構１２を釣糸巻取状態から釣糸放出状態に切換える切換部材が指当て部材２１とは別個に設けられていても良い。
【００３９】
【発明の効果】
以上説明したように、本発明の魚釣用リールによれば、指でスプールまたはその糸巻き面をサミング操作しながら、その指でクラッチの復帰操作をも同時に行なうことができる。
【図面の簡単な説明】
【図１】本発明の一実施形態に係る魚釣用リールの断面図である。
【図２】図１の魚釣用リールの上面図である。
【図３】図１の魚釣用リールにおけるクラッチ機構の一部断面を有する側面図である。
【図４】クラッチＯＮ状態の切換部材および復帰部材の断面を含む図１の魚釣用リールの正面図である。
【図５】クラッチＯＮ状態における切換部材および復帰部材の拡大断面図である。
【図６】クラッチＯＦＦ状態における切換部材および復帰部材の拡大断面図である。
【図７】クラッチＯＦＦ状態から復帰部材をスライドさせて、復帰部材の突出端部と右フレームの係止部との係合状態を解除した状態を示す拡大断面図である。
【図８】クラッチＯＮ状態におけるクラッチ機構の要部拡大図である。
【図９】クラッチＯＦＦ状態におけるクラッチ機構の要部拡大図である。
【符号の説明】
１  魚釣用リール
２ａ，２ｂ  フレーム
３ａ，３ｂ  側板
５ａ  スプール
１２  クラッチ機構
２１  切換部材（指当て部材）
６０  復帰部材
【図１】
2004298096.tif 000003
【図２】
2004298096.tif 000004
【図３】
2004298096.tif 000005
【図４】
2004298096.tif 000006
【図５】
2004298096.tif 000007
【図６】
2004298096.tif 000008
【図７】
2004298096.tif 000009
【図８】
2004298096.tif 000010
【図９】
2004298096.tif 000011